(57)【特許請求の範囲】
【請求項１】
屋外側に配置される屋外側給気口と屋内側に配置される屋内側給気口とを結ぶ給気経路と、
前記給気経路に配置され且つ外気を屋内側に送る給気送風機と、
屋内側に配置される屋内側排気口と屋外側に配置される屋外側排気口とを結ぶ排気経路と、
前記排気経路に配置され且つ屋内側の空気を屋外側に送る排気送風機と、
前記給気経路及び前記排気経路に配置され且つ前記給気経路を流通する給気と前記排気経路を流通する排気との間で熱交換を行う熱交換器と、
前記排気経路の前記熱交換器よりも上流側に配置され且つ排気に含まれる塵埃を捕集するフィルタと、
前記排気経路の前記フィルタよりも上流側と、前記排気経路の前記熱交換器よりも下流側とを結び、前記排気経路と壁面を隔てて形成されるバイパス経路と、
前記熱交換器と前記フィルタとの間に介装され、前記バイパス経路に対し平行にスライドすることにより、前記排気経路と前記バイパス経路とを切り替える切替手段と、
を備える換気装置。
【請求項２】
前記フィルタの前記屋内側排気口側の面に配置され、前記フィルタに付着した塵埃を除去する塵埃除去手段を更に有する請求項１記載の換気装置。
【請求項３】
前記バイパス経路の入口は、前記フィルタの面方向に向かって開口する請求項１又は２記載の換気装置。
【請求項４】
前記切替手段は、前記熱交換器を介した排気を所定時間実行した後に、前記バイパス経路を介した排気に切り替える請求項１〜３いずれかに記載の換気装置。
【発明の詳細な説明】
【技術分野】
【０００１】
本発明は、換気装置に関する。
【背景技術】
【０００２】
従来、住宅に屋内の環境を改善するための換気装置が設けられる。また、空調機の使用電力の削減や快適な居住環境の提供をするために、給気と排気との間で熱交換を行う熱交換器を備えた換気装置も知られている（例えば、特許文献１参照）。
【０００３】
ところで、換気装置の給気経路や排気経路の入口には塵埃を補集するためのフィルタが配置される場合がある。給気経路の入口にフィルタを配置する場合、捕集された塵埃は屋外側に排出される（例えば、特許文献２参照）。特に、熱交換器を備えた換気装置においては、熱交換性能をできるだけ長く維持するために、給気経路及び排気経路の熱交換器よりも上流側（入口側）において塵埃を補集し、排気経路内に塵埃が混入することを防ぐことが好ましい。
【先行技術文献】
【特許文献】
【０００４】
【特許文献１】特開２０１１−２３１９７３号公報
【特許文献２】特開２０１２−１６６１８２号公報
【発明の概要】
【発明が解決しようとする課題】
【０００５】
しかし、熱交換器を備えた換気装置において、排気経路の入口に塵埃を補集するためのフィルタを配置したとしても、排気経路のフィルタよりも下流側に熱交換器が配置されるので、捕集された塵埃を屋外に排出することは困難である。補集された塵埃が屋外に排出されないと、換気装置の熱交換性能が低下してしまう場合がある。
【０００６】
本発明は、熱交換性能が低下してしまうのを抑えることができる、熱交換器を備えた換気装置を提供することを目的とする。
【課題を解決するための手段】
【０００７】
本発明は、屋外側に配置される屋外側給気口（例えば、後述の屋外側給気口２１）と屋内側に配置される屋内側給気口（例えば、後述の屋内側給気口２２）とを結ぶ給気経路（例えば、後述の給気経路２０）と、前記給気経路に配置され且つ外気を屋内側に送る給気送風機（例えば、後述の給気送風機２）と、屋内側に配置される屋内側排気口（例えば、後述の屋内側排気口３１）と屋外側に配置される屋外側排気口（例えば、後述の屋外側排気口３２）とを結ぶ排気経路（例えば、後述の排気経路３０）と、前記排気経路に配置され且つ屋内側の空気を屋外側に送る排気送風機（例えば、後述の排気送風機３）と、前記給気経路及び前記排気経路に配置され且つ前記給気経路を流通する給気と前記排気経路を流通する排気との間で熱交換を行う熱交換器（例えば、後述の熱交換器５）と、前記排気経路の前記熱交換器よりも上流側に配置され且つ排気に含まれる塵埃を捕集するフィルタ（例えば、後述の排気フィルタ４２）と、前記排気経路の前記フィルタよりも上流側と、前記排気経路の前記熱交換器よりも下流側と、を結ぶバイパス経路（例えば、後述のバイパス経路９）と、を備える換気装置（例えば、後述の換気装置１）に関する。
【０００８】
これにより、排気経路の屋内側排気口側で捕集した塵埃を、熱交換器を通すことなく、バイパス経路を通じて円滑に屋外側に排出することができる。従って、熱交換器を備えた換気装置において、熱交換性能が低下してしまうのを抑えることができる。
【０００９】
また、前記フィルタの前記屋内側排気口側の面に配置され、前記フィルタに付着した塵埃を除去する塵埃除去手段（例えば、後述のフィン２４ａ）を更に有することが好ましい。
【００１０】
また、前記バイパス経路の入口（例えば、後述のバイパス入口９１）は、前記フィルタの面方向に向かって開口することが好ましい。
【００１１】
また、前記熱交換器を介した排気と、前記バイパス経路を介した排気と、を切り替える切替手段（例えば、後述のダンパ１００）を更に備え、前記切替手段は、前記熱交換器を介した排気を所定時間実行した後に、前記バイパス経路を介した排気に切り替えることが好ましい。
【発明の効果】
【００１２】
本発明によれば、熱交換器を備えた換気装置において、排気経路の屋内側排気口側で捕集した塵埃を、熱交換器を通すことなく円滑に屋外側に排出することができる。従って、熱交換性能が低下してしまうのを抑えることができる、熱交換器を備えた換気装置を提供できる。
【図面の簡単な説明】
【００１３】
【図１】本発明の一実施形態に係る換気装置の使用状態を示す図である。
【図２】上記実施形態に係る換気装置の斜視図である。
【図３Ａ】上記実施形態に係る換気装置における、排気フィルタ及びダンパの周辺を示した拡大断面図である。
【図３Ｂ】上記実施形態に係る換気装置における、排気フィルタ及びダンパの周辺を示した拡大断面図である。
【図４Ａ】上記実施形態に係る換気装置における、排気フィルタ及びダンパを示した底面図である。
【図４Ｂ】上記実施形態に係る換気装置における、排気フィルタ及びダンパを示した底面図である。
【図５】上記実施形態に係る換気装置の制御部の構成を表す機能ブロック図である。
【図６】上記実施形態に係る換気装置の通常運転モードについて示す模式図である。
【図７】上記実施形態に係る換気装置のお掃除モード（排気フィルタ清掃モード）での動作について示す模式図である。
【図８】上記実施形態に係る換気装置のお掃除モード（給気フィルタ清掃モード）での動作について示す模式図である。
【図９】上記実施形態に係る換気装置の制御部の動作を説明するためのフローチャートである。
【図１０】上記実施形態に係る換気装置のお掃除モードでの制御手順の詳細を表すフローチャートである。
【発明を実施するための形態】
【００１４】
以下、本発明の一実施形態について、図面を参照しながら詳しく説明する。
図１は、本実施形態に係る換気装置１の使用状態を示す図である。図１に示すように、本実施形態に係る換気装置１は、室内の壁面の上部等に取り付けられ、建物の屋外と屋内の間で空気を給排気して換気を行うダクトレス式の換気装置である。
【００１５】
図２は、換気装置１の斜視図である。図２に示すように、換気装置１は、ハウジング１０と、給気経路２０と、給気送風機２と、排気経路３０と、排気送風機３と、熱交換器５と、バイパス経路９と、を備える。
また、換気装置１は、給気フィルタ４１と、排気フィルタ４２と、給気フィルタ移動装置８と、ダンパ１００と、制御装置（図示せず）と、を備える。
【００１６】
ハウジング１０は、略直方体状に形成されている。ハウジング１０の背面は平坦に形成され、室内の壁面等に当接する。ハウジング１０は、背面の一端側において、屋外から屋内に通じる配管１１と接続される。ハウジング１０は、後述する各経路及び部材をその内部に収容する。
【００１７】
給気経路２０は、屋外側に配置される屋外側給気口２１と、屋内側に配置される屋内側給気口２２と、を結ぶ。屋外側給気口２１は、配管１１に位置し、屋内側給気口２２は、ハウジング１０の正面側の上端部に位置する。
【００１８】
排気経路３０は、屋内側に配置される屋内側排気口３１と、屋外側に配置される屋外側排気口３２と、を結ぶ。屋内側排気口３１は、ハウジング１０の正面側の下端部に位置し、屋外側排気口３２は、配管１１に位置する。
【００１９】
ここで、屋外側給気口２１及び屋外側排気口３２は、配管１１の内部が上下に仕切られることで形成されている。即ち、円管の配管１１の断面視における下側の半円部分により屋外側給気口２１が構成され、上側の半円部分により屋外側排気口３２が構成される。
【００２０】
熱交換器５は、給気経路２０及び排気経路３０に配置される。熱交換器５は、給気経路２０を流通する給気と排気経路３０を流通する排気との間で熱交換を行う。熱交換器５は、全熱（顕熱及び潜熱）を交換することが可能な長方形の全熱交換シートが、当該全熱交換シートの短手方向に延びる複数のリブを介在させて積層されることで、直方体状に形成される。この全熱交換シートは、例えば紙からなる。熱交換器５の内部において、給気経路２０及び排気経路３０は、全熱交換シートを介して、全熱交換シートの積層方向に交互に独立して形成される。
【００２１】
また、熱交換器５は、長手方向の一端側の上部に形成される給気流入口５１と、他端側の側面に形成される給気流出口５２と、他端側の下部に形成される排気流入口５３と、一端側の側面に形成される排気流出口５４と、を有する。熱交換器５内における給気流入口５１と給気流出口５２とを結ぶ流路は、給気経路２０の一部を構成する。同様に、熱交換器５内における排気流入口５３と排気流出口５４とを結ぶ流路は、排気経路３０の一部を構成する。これにより、給気経路２０における給気の流れと排気経路３０における排気の流れとは、対向流となる。
【００２２】
給気送風機２は、給気経路２０の終端側に配置されて、外気を屋内側に送る。給気送風機２は、給気経路２０の熱交換器５よりも下流側に配置される。給気送風機２は、モータ２ａと、モータ２ａに接続され且つ給気流出口５２と対向して配置される多翼羽根車２ｂと、を備える遠心送風機である。
【００２３】
排気送風機３は、排気経路３０の終端側に配置されて、屋内側の空気を屋外側に送る。排気送風機３は、排気経路３０の熱交換器５よりも下流側に配置される。排気送風機３は、モータ３ａと、モータ３ａに接続され且つ排気流出口５４と対向して配置される多翼羽根車３ｂと、を備える遠心送風機である。
【００２４】
給気フィルタ４１は、給気経路２０の熱交換器５よりも上流側の屋外側給気口２１近傍に配置される。給気フィルタ８０は、給気に含まれる塵埃を捕集する。
給気フィルタ４１は、環状であり、径方向に延びる軸により半分に分割されている。給気フィルタ４１は、分割された一方の半円側に配置される網部４１０を有する。給気フィルタ４１は、網部４１０により、塵埃の通過を防止する。
給気フィルタ４１は、屋外側給気口２１及び屋外側排気口３２に跨って配置される。給気フィルタ４１は、外周に沿って溝４１１が形成されている。
【００２５】
給気フィルタ移動装置８は、モータ８１を有する。モータ８１は、溝４１１と噛み合うギア８２が接続される。給気フィルタ４１は、モータ８１を動力源として回転する。また、給気フィルタ４１は、モータ４４を振動させることで、連動して振動する。給気フィルタ４１は、給気フィルタ移動装置８（モータ８１）を介して後述の制御部によって制御される。
【００２６】
排気フィルタ４２は、排気経路３０の熱交換器５よりも上流側の屋内側排気口３１近傍に配置される。排気フィルタ４２は、排気に含まれる塵埃を捕集する。排気フィルタ４２については後段で詳述する。
【００２７】
バイパス経路９は、排気経路３０の排気フィルタ４２よりも上流側に位置するバイパス入口９１と、排気経路３０の熱交換器５よりも下流側に位置するバイパス出口９２と、を結ぶ。バイパス経路９は、排気フィルタ４２の捕集された塵埃を除去する際に、排気を熱交換器５に流通させることなくバイパスする。バイパス入口９１は、排気フィルタ４２の周縁に位置し、排気フィルタ４２の面方向に向かって開口する。バイパス出口９２は、排気流出口５４と多翼羽根車３ｂとの間に位置し、多翼羽根車３ｂの軸と直交する方向に向かって開口する。
【００２８】
ダンパ１００は、熱交換器５を介した排気と、バイパス経路９を介した排気と、を切り替える。ダンパ１００については、後段で詳述する。
図３Ａ及び図３Ｂは、排気フィルタ４２及びダンパ１００の周辺を示した図であり、排気経路３０からバイパス経路９が分岐した部分を図２の矢視Ｘから視た拡大断面図である。図３Ａは、熱交換器５を介した排気の状態であり、図３Ｂは、バイパス経路９を介した排気の状態である。
図４Ａ及び図４Ｂは、排気フィルタ４２及びダンパ１００を下側（図３Ａ及び図３Ｂの矢視Ｙ）から視た図である。図４Ａは、熱交換器５を介した排気の状態であり、図４Ｂは、バイパス経路９を介した排気の状態である。
【００２９】
図４Ａ及び図４Ｂに示すように、ダンパ１００は矩形板状の部材であり、バイパス経路９の下流側の端部が下方向に屈曲している。図３Ａに示すように、ダンパ１００は、上下方向から挟持部材２３によって挟持される。ダンパ１００は、屈曲している側の先端がバイパス経路９の壁面を形成するバイパス経路形成部材９３の下側から膨出した膨出部９３ａと当接することで、バイパス経路９を閉鎖する。一方、図３Ｂに示すように、ダンパ１００は、水平方向にシフトして。排気フィルタ４２と熱交換器５との間に配置されることで、排気経路３０を閉鎖する。この際に、ダンパ１００の屈曲している側の先端は、膨出部９３ａから離隔されており、バイパス経路９は開通する。
【００３０】
図３Ａ及び図３Ｂに示すように、排気フィルタ４２は、挟持部材２３と排気経路３０の壁面を形成する排気経路形成部材２４との間に配置される。排気経路形成部材２４には、排気フィルタ４２の配置される部分に排気の流通する開口が形成される。排気フィルタ４２は、周縁において挟持部材２３及び排気経路形成部材２４とそれぞれ嵌合する。排気経路形成部材２４は、排気フィルタ４２と水平方向において重複するように配置される塵埃除去手段としてのフィン２４ａを有する。フィン２４ａは、棒状であり、排気経路形成部材２４の開口を、ダンパ１００のシフトする方向（図３Ａ及び図３Ｂの左右方向）に横断する。フィン２４ａは、上端部が排気フィルタ４２の屋内側排気口３１側の面（後述する網部４２０）に近接して配置される。
【００３１】
図４Ａ及び図４Ｂに示すように、排気フィルタ４２は、環状であり、径方向に延びる複数の軸により６等分されている。なお、図４Ａ及び図４Ｂには、排気経路形成部材２４（図３Ａ及び図３Ｂ）は示されていない。排気フィルタ４２は、前面（下側面）に配置される網部４２０を有する。排気フィルタ４２は、網部４２０により、塵埃の通過を防止する。排気フィルタ４２は、外周に沿って溝４２１が形成されている。溝４２１は、モータ６１に接続されたギア６１ａと噛み合う。このような構造によって、排気フィルタ４２は、モータ６１を動力源として回転する。排気フィルタ４２が回転することにより、フィン２４ａが網部４２０に対して相対的に回転する。排気フィルタ４２は、モータ６１を介して後述の制御部によって制御される。
【００３２】
図４Ａ及び図４Ｂに示すように、ダンパ１００は、換気装置１の背面側の端部に溝１００ａが形成されている。この溝１００ａは、モータ６２に接続されたギア６２ａと噛み合う。このような構造によって、ダンパ１００は水平方向に移動して排気の経路を切り替える。ダンパ１００は、モータ６２を介して後述の制御部によって制御される。
【００３３】
図５は、換気装置１の制御部３０１の構成を表す機能ブロック図である。
図５の制御部３０１はＣＰＵ３０４を主体とする回路で構成され、各種の制御のタイミングをはかるためのタイマ３０５の出力がＣＰＵ３０４に入力される。
この制御部３０１からは、次のような各制御出力が発せられる：
（ａ）給気モータ制御出力：給気送風機２の動力源であるモータ２ａを制御する出力
（ｂ）排気モータ制御出力：排気送風機３の動力源であるモータ３ａを制御する出力
（ｃ）給気フィルタアクチュエータ制御出力：お掃除モード時に、通常は給気入口の位置にある給気フィルタ４１を排気に晒す位置に転換させる給気フィルタクチュエータを制御する出力
（ｄ）内気流路切換制御出力：排気フィルタ４２下流の流路をバイパス側に切換える出力
（ｅ）排気フィルタ制御出力：排気フィルタ４２を回転させる出力
【００３４】
続いて、本実施形態に係る換気装置１の動作（運転モード）について説明する。換気装置１は、複数の運転モードを有する。図６は、換気装置１の運転モードのうち、通常運転モードについて示す模式図である。図７及び図８は、換気装置１の運転モードのうち、お掃除モードについて示す模式図である。特に、図７は、お掃除モードのうちの排気フィルタ清掃モードについて示す図であり、図８は、お掃除モードのうちの給気フィルタ清掃モードについて示す図である。
【００３５】
図６に示すように、通常運転モードでは、給気送風機２及び排気送風機３の両方が運転する。給気は、屋外側給気口２１から給気経路２０に導入され、屋内側給気口２２から屋内に供給される。一方、排気は、屋内側排気口３１から排気経路３０に導入されて、屋外側排気口３２から屋外に排出される。なお、この際に、ダンパ１００は、バイパス経路９を閉鎖する。通常運転モードでは熱交換器５において、給気経路２０を流通する給気と排気経路３０を流通する排気との間で熱交換が行われる。この熱交換によって、屋内の温度及び湿度が一定に保たれる。
【００３６】
通常運転モードを継続することにより、給気フィルタ４１の網部４１０の屋外側給気口２１側の表面に塵埃Ｄが捕集される。一方、排気フィルタ４２の網部４２０の屋内側排気口３１側の表面にも塵埃Ｄが捕集される。
【００３７】
図７に示すように、排気フィルタ清掃モードでは、排気送風機３のみ運転する。排気フィルタ清掃モードでは、ダンパ１００は、排気フィルタ４２の上流側において排気経路３０を閉鎖し、バイパス経路９を開放する。排気フィルタ清掃モードにおいて、排気は、バイパス経路９を流通することで熱交換器５をバイパスして、屋外側排気口３２から屋外に排出される。
【００３８】
排気フィルタ清掃モードを継続することにより、通常運転モードで排気フィルタ４２の捕集した塵埃Ｄは、バイパス経路を経由して屋外側に排出される。この際に、給気フィルタ４１の屋外側排気口３２側には網部４１０が配置されないので、塵埃Ｄを屋外に排出することが可能になる。
【００３９】
図８に示すように、給気フィルタ清掃モードでは、排気送風機３は運転するが、給気送風機２は運転しない。通常運転モードでは給気の入口（屋外側給気口２１）に位置した給気フィルタ４１の網部４１０が、給気フィルタ清掃モードでは、排気の出口（屋外側排気口３２）に転換して配置される。
【００４０】
給気フィルタ清掃モードでは、通常運転モードで給気フィルタ４１の捕集した塵埃Ｄは、排気経路３０の給気フィルタ４１のよりも下流側に位置することになる。従って、給気フィルタ清掃モードでは給気フィルタ４１の捕集した塵埃Ｄを屋外に排出することができる。
【００４１】
図９は、換気装置１の制御部３０１の動作を説明するためのフローチャートである。
動作が開始すると、まず通常運転モードの運転時間（運転持続時間）に関するタイマの計時値Ｔが読込まれる（ステップＳ４０１）。次いで、タイマの計時値Ｔが、お掃除モード運転を実行する時間間隔としての既定値Ｔｓと比較される（ステップＳ４０２）。
運転持続時間であるタイマの計時値Ｔが既定値Ｔｓ以上に至っていないときには（ステップＳ４０４：ＮＯ）、通常運転モードが持続される。一方、タイマの計時値Ｔが、お掃除モード運転を実行する時間間隔としての既定値Ｔｓを超えたと判断されたときには（ステップＳ４０４：ＹＥＳ）、お掃除運転モード（排気フィルタ清掃モード及び／又は給気フィルタ清掃モード）での運転に入る（ステップＳ４０３）。
【００４２】
図１０は、換気装置１のお掃除モード（ステップＳ４０３）での制御手順の詳細を表すフローチャートである。
お掃除モードが起動すると、排気フィルタ清掃モード（図７）が実行される。具体的には、まず制御部３０１からの給気モータ制御出力によって、給気送風機２の動力源であるモータ２ａが停止される（ステップＳ５０１）。続いて、排気フィルタ４２下流の流路をバイパス経路９側に切換える（ステップＳ５０２）。この切換えは、制御部３０１が、排気流路切換制御出力を、流路を切換えるためのモータ６２に出力することによって実行される。次いで、制御部３０１からの排気モータ制御出力によって、排気送風機３の動力源であるモータ３ａが高出力運転に切換えられる（ステップＳ５０３）。これにより、流路の抵抗が低減され換気装置内の他部（例えば、排気と給気との熱交換を行う熱交換器５等）への塵埃被着のおそれが解除された状態で、高出力運転で流速が上がった排気で、排気フィルタ４２に堆積した塵埃が効果的に除去される。
【００４３】
ステップＳ５０３においては、排気フィルタ４２を回転させる。排気フィルタ４２の回転は、制御部３０１が、排気フィルタ制御出力をモータ６１に出力することによって実行される。排気フィルタ４２が回転することで、フィン２４ａが排気フィルタ４２に対して相対的に回転し、排気フィルタ４２に堆積した塵埃と接触する。フィン２４ａが排気フィルタ４２に堆積した塵埃と接触することによって塵埃がより効果的に除去される。
【００４４】
モータ３ａが高出力運転に移行すると、排気フィルタ４２のお掃除運転の持続時間ＴＥ１について計時動作が行われ（ステップＳ５０４）、運転時間ＴＥ１が排気フィルタ清掃の既定の継続時間Ｔｓ１に達したか否かが監視される（ステップＳ５０５）。排気フィルタ４２の清掃に係るこの継続時間Ｔｓ１は、例えば、３０秒内外の時間である。時間Ｔｓ１に達するまでの間、排気フィルタ４２の清掃が続けられる（ステップＳ５０５：ＮＯ）。
【００４５】
運転時間ＴＥ１が既定の時間Ｔｓ１に達すると（ステップＳ５０５：ＹＥＳ）、ステップＳ５０１でバイパス経路９側に切換えられていた排気フィルタ４２下流の流路が元の状態に復帰される（ステップＳ５０６）。ステップＳ５０６での流路復帰は、制御部３０１が、排気流路切換制御出力を、流路を切換えるためのモータ６２に出力することによって実行される。この後、給気フィルタ清掃モード（図８）に移行する。
ステップＳ５０６においては、制御部３０１が、排気フィルタ制御出力によりモータ６１を停止して、排気フィルタ４２の回転を停止する。
【００４６】
ステップＳ５０６に次いで、給気フィルタ４１の位置を排気に晒す位置に転換させる（ステップＳ５０７）。ステップＳ５０７での給気フィルタ４１の位置の転換は、制御部３０１が、給気フィルタアクチュエータ制御出力を給気フィルタアクチュエータ（即ち、給気フィルタ移動装置８）に与えることによって行われる。この制御によって、給気フィルタ４１は給気の入口（屋外側給気口２１）に位置していたものが排気の出口（屋外側排気口３２）に位置するようにその配置が転換される。
この転換後の位置では、給気フィルタ４１は、ステップＳ５０２で高出力運転に切換えられて流速が上がっている排気に晒されて、表面に堆積した塵埃が効果的に除去される。
【００４７】
ステップＳ５０７で給気フィルタ４１の位置が転換されて、給気フィルタ清掃モード（図８）が開始すると、次いで、給気フィルタ４１のお掃除運転の持続時間ＴＥ２について計時動作が行われ（ステップＳ５０８）、運転時間ＴＥ２が給気フィルタ清掃の既定の継続時間Ｔｓ２に達したか否かが監視される（ステップＳ５０９）。
給気フィルタ４１の清掃に係る既定の継続時間Ｔｓ２は、例えば、３０秒内外の時間である。時間Ｔｓ２に達するまでの間、給気フィルタ清掃モード（図８）が継続される（ステップＳ５０９：ＮＯ）。
【００４８】
運転時間ＴＥ２が既定の時間Ｔｓ２に達すると（ステップＳ５０９：ＹＥＳ）、ステップＳ５０７で排気の出口（屋外側排気口３２）に位置するようにその配置が転換されていた給気フィルタ４１が元の位置（屋外側給気口２１）に復帰される（ステップＳ５１０）。ステップＳ５１０での給気フィルタ位置の復帰は、制御部３０１が、給気フィルタアクチュエータ制御出力を、給気フィルタ位置を転換するためのアクチュエータである給気フィルタ移動装置８に出力することによって実行される。
【００４９】
ステップＳ５１０に次いで、制御部３０１からの給気モータ制御出力によって、給気送風機２の動力源であるモータ２ａの運転が再開される（ステップＳ５１１）。ステップＳ５１１においては、制御部３０１からの排気モータ制御出力によって、排気送風機３の動力源であるモータ３ａが、高出力運転から通常の出力の運転に切換えられる。
以上で、お掃除モード（図９：ステップＳ４０３）での運転が終了し、制御部３０１による制御手順は、図９のステップＳ４０３に移行する。
【００５０】
以上説明した本実施形態に係る換気装置１によれば、以下の効果が奏される。
上記実施形態では、給気経路２０を流通する給気と排気経路３０を流通する排気との間で熱交換を行う熱交換器５と、排気経路３０の熱交換器５よりも上流側に配置され且つ排気に含まれる塵埃を捕集する排気フィルタ４２と、を備える換気装置１が、排気経路３０の排気フィルタ４２よりも上流側と排気経路３０の熱交換器５よりも下流側とを結ぶバイパス経路９を更に備えるものとした。
これにより、排気経路３０の屋内側排気口３１側で捕集した塵埃を、熱交換器５を通すことなく、バイパス経路９を通じて円滑に屋外側に排出することができる。従って、熱交換器５を備えた換気装置１において、熱交換性能が低下してしまうのを抑えることができる。
【００５１】
上記実施形態では、換気装置１が、排気フィルタ４２の屋内側排気口３１側の面に配置されるフィン２４ａを更に有するものとした。
これにより、排気フィルタ４２で捕集された塵埃の除去効果をより高めることができる。
【００５２】
上記実施形態では、バイパス入口９１が、排気フィルタ４２の面方向に向かって開口するものとした。
これにより、バイパス入口９１が、排気フィルタ４２の面方向に向かって開口することで、バイパス経路９を介した排気により塵埃を屋外に排出する際、排気フィルタ４２の表面に横方向から排気が吹き付けることになる。この横から吹き付ける排気により、排気フィルタ４２で捕集された塵埃の除去効果をより高めることができる。
【００５３】
上記実施形態では、換気装置１が、熱交換器５を介した排気と、バイパス経路９を介した排気と、を切り替えるダンパ１００を更に備えるものとした。更に、ダンパ１００が、熱交換器５を介した排気を所定時間実行した後に、バイパス経路９を介した排気に切り替えるものとした。
これにより、所定時間毎に排気フィルタ４２で捕集された塵埃を除去することで、安定して換気装置１を運転することができる。
【００５４】
なお、本発明は上記実施形態に限定されるものではなく、本発明の目的を達成できる範囲での変形、改良等は本発明に含まれる。
例えば、排気フィルタ４２の屋内側排気口３１側の面に配置される塵埃除去手段は無くてもよいし、配置する場合にも、その形状や素材は限定されない。排気フィルタ４２の屋内側排気口３１側の面に配置される塵埃除去手段は、例えば排気フィルタ４２に当接するブラシであってもよい。
【符号の説明】
【００５５】
１…換気装置
２…給気送風機
３…排気送風機
５…熱交換器
９…バイパス経路
２０…給気経路
２１…屋外側給気口
２２…屋内側給気口
２４ａ…フィン（塵埃除去手段）
３０…排気経路
３１…屋内側排気口
３２…屋外側排気口
４２…排気フィルタ
９１…バイパス入口
１００…ダンパ（切替手段）
【図１】
0006392025.tif 000002
【図２】
0006392025.tif 000003
【図３Ａ】
0006392025.tif 000004
【図３Ｂ】
0006392025.tif 000005
【図４Ａ】
0006392025.tif 000006
【図４Ｂ】
0006392025.tif 000007
【図５】
0006392025.tif 000008
【図６】
0006392025.tif 000009
【図７】
0006392025.tif 000010
【図８】
0006392025.tif 000011
【図９】
0006392025.tif 000012
【図１０】
0006392025.tif 000013